(57)【要約】【課題】  携帯端末の利用者が、興味を持った電子書籍をすぐにでも読みたいという場合に、その電子書籍をすぐにでも読むことができるようにする電子出版システム及び電子出版装置を提供する。【解決手段】作者端末と、電子出版装置と、携帯端末と、がネットワークで接続された電子出版システムであって、前記電子出版装置は、記憶手段と、前記作者端末から文字列を受信し、この受信した文字列を前記記憶手段に記憶する書籍製作手段と、前記携帯端末から決済要求を受信し、所定の決済処理を実行し、当該携帯端末に対して読者ＩＤを送信する決済手段と、前記決済手段によって読者ＩＤを送信した携帯端末から当該読者ＩＤを受信し、前記書籍製作手段によって前記記憶手段に記憶したすべての文字列の中から所定数の文字列を読み出し、当該携帯端末に対して送信する、ことを特徴とする。【選択図】図１
2010267036.tif 000002
【特許請求の範囲】
【請求項１】
作者端末と携帯端末とにネットワークで接続された電子出版装置であって、
記憶手段と、
前記作者端末から文字列を受信し、この受信した文字列を前記記憶手段に記憶する書籍製作手段と、
前記携帯端末から決済要求を受信し、所定の決済処理を実行し、当該携帯端末に対して読者ＩＤを送信する決済手段と、
前記決済手段によって読者ＩＤを送信した携帯端末から当該読者ＩＤを受信し、前記書籍製作手段によって前記記憶手段に記憶したすべての文字列の中から所定数の文字列を読み出し、当該携帯端末に対して送信する電子発行手段と、
を具備することを特徴とする電子出版装置。
【請求項２】
作者端末と、請求項１に記載の電子出版装置と、携帯端末と、がネットワークで接続されたことを特徴とする電子出版システム。
【発明の詳細な説明】
【技術分野】
【０００１】
本発明は、電子出版装置及び電子出版システムに関する。
【背景技術】
【０００２】
従来、オンライン情報提供システムを利用することで、電子メールを用いて顧客の希望する雑誌の記事を送ると共に、代金を電子決済するようにした書籍の広告・販売システムが提案された（特許文献１参照）。
【先行技術文献】
【特許文献】
【０００３】
【特許文献１】特開平９−２５９１８９号公報
【発明の概要】
【発明が解決しようとする課題】
【０００４】
しかるところ、このようにしてオンラインで提供される書籍は、年々肥大化しており、現在は、「ファイル」と呼ばれるひとまとまりの電子データにてダウンロード販売されることが多い。
【０００５】
その一方で、現在は、携帯電話などの携帯端末が広く普及しているが、この携帯端末においては、上記の「ファイル」が、アプリケーションソフト未対応や通信容量の制約などという理由により、閲覧できない場合が多い。
【０００６】
したがって、上記従来のシステムでは、これを携帯端末に適用した場合、書籍をＦＡＸや郵送などで送らざるを得ないこととなり（特許文献１の段落０００９参照）、携帯電話の利用者のうち、いますぐということであるのであれば「読みたい」と思うが、１、２日後であるというのであれば「もう読みたくない」という利用者の要求に応えることができないという問題があった。
【０００７】
そこで、本発明は、携帯端末の利用者が、興味を持った電子書籍をすぐにでも読みたいという場合に、その電子書籍をすぐにでも読むことができるようにする電子出版装置及び電子出版システムを提供することを目的とする。
【課題を解決するための手段】
【０００８】
本発明によれば、上記課題は、次の手段により解決される。
【０００９】
本発明は、作者端末と携帯端末とにネットワークで接続された電子出版装置であって、記憶手段と、前記作者端末から文字列を受信し、この受信した文字列を前記記憶手段に記憶する書籍製作手段と、前記携帯端末から決済要求を受信し、所定の決済処理を実行し、当該携帯端末に対して読者ＩＤを送信する決済手段と、前記決済手段によって読者ＩＤを送信した携帯端末から当該読者ＩＤを受信し、前記書籍製作手段によって前記記憶手段に記憶したすべての文字列の中から所定数の文字列を読み出し、当該携帯端末に対して送信する電子発行手段と、を具備することを特徴とする電子出版装置である。
【００１０】
また、本発明は、作者端末と、請求項１に記載の電子出版装置と、携帯端末と、がネットワークで接続されたことを特徴とする電子出版システムである。
【発明の効果】
【００１１】
本発明によれば、携帯端末の利用者が、興味を持った電子書籍をすぐにでも読みたいという場合に、その電子書籍をすぐにでも読むことができるようにする電子出版装置及び電子出版システムを提供することができる。
【図面の簡単な説明】
【００１２】
【図１】本発明の実施形態に係る電子出版システムの概略構成を示す図である。
【図２】本発明の実施形態に係る電子出版システムの概略動作を示す図である。
【発明を実施するための形態】
【００１３】
以下に、添付した図面を参照しつつ、本発明を実施するための形態について説明する。
【００１４】
図１は、本発明の実施形態に係る電子出版システムの概略構成を示す図である。
【００１５】
図１に示すように、本発明の実施形態に係る電子出版システム１においては、電子出版装置１０と、作者端末２０と、携帯端末の一例である携帯電話３０と、がネットワークの一例であるインターネット４０で接続されている。
【００１６】
ここで、電子出版装置１０は記憶手段１１を具備しており、携帯電話３０は基地局５０を介してインターネット４０に接続される。
【００１７】
図２は、本発明の実施形態に係る電子出版システムの概略動作を示す図である。以下、図２を参照しつつ、本発明の実施形態に係る電子出版システムの概略動作について説明する。
【００１８】
本発明の実施形態に係る電子出版システム１においては、まず、作者端末２０が電子書籍の一部または全部を構成する文字列を電子出版装置１０に対して送信する（ステップＳ１）。
【００１９】
つぎに、電子出版装置１０が、作者端末２０から文字列を受信し、この受信した文字列を記憶手段１１に記憶する（ステップＳ２）。この記憶手段１１に記憶された文字列は、電子書籍の一部または全部を構成する文字列である。本発明の実施形態では、作者端末２０から受信した文字列の記憶手段１１への記憶を「書籍製作」という。
【００２０】
つぎに、携帯電話３０が決済要求を電子出版装置１０に対して送信する（ステップＳ３）。
【００２１】
つぎに、電子出版装置１０が、携帯電話３０から決済要求を受信し、所定の決済処理を実行し、当該携帯電話３０に対して読者ＩＤを送信する（ステップＳ４）。ここで、所定の決済処理としては、既存のオンライン決済処理などを利用することができる。また、読者ＩＤとは携帯電話３０の利用者を識別する値である。
【００２２】
つぎに、携帯電話３０が、電子出版装置１０から受信した読者ＩＤを電子出版装置１０に対して送信する（ステップＳ５）。
【００２３】
つぎに、電子出版装置１０が、上記読者ＩＤを送信した携帯電話３０から当該読者ＩＤを受信し、上記記憶手段１１に記憶したすべての文字列の中から所定数の文字列を読み出し、当該携帯電話３０に対して送信する（ステップＳ６）。
【００２４】
ここで、読み出された所定数の文字列は、記憶手段１１上に記憶された電子書籍の一部または全部を構成する文字列である。本発明の実施形態では、電子出版装置１０の記憶手段１１上に記憶された文字列の電子出版装置１０から携帯電話３０への送信を「電子発行」という。
【００２５】
このステップＳ６によれば、電子書籍の一部または全部が、特定のアプリケーションソフトウェアでのみ処理することができる「ファイル」ではなく、文字列として送信されるため、特定のアプリケーションソフトウェアを実行できない携帯電話３０の利用者が、興味を持った電子書籍をすぐにでも読みたい場合、その電子書籍をすぐにでも読むことができるようになる。
【００２６】
また、ステップＳ６によれば、電子書籍の全部を構成する「ファイル」ではなく、記憶手段１１に記憶したすべての文字列の中から所定数の文字列が読み出され、携帯電話３０に対して送信されるため、興味を持った電子書籍をすぐにでも読みたいという携帯電話３０の利用者は、電子書籍を読むために電子書籍のすべてをダウンロードする必要がなく、たとえ通信容量に制約がある場合であっても、その電子書籍をすぐにでも読むことができるようになる。
【００２７】
なお、本発明の実施形態に係る電子出版システム１においては、ステップＳ６における「所定数」を示す文字列読出数値を、電子出版装置１０上で入力したり、作者端末２０または携帯電話３０から電子出版装置１０に入力したりすることができる。
【００２８】
また、本発明の実施形態に係る電子出版システム１においては、ステップＳ６において、記憶手段１１上のどの位置から読み出すかを示す読出位置値を、電子出版装置１０上で入力したり、作者端末２０または携帯電話３０から電子出版装置１０に入力したりすることができる。
【００２９】
本発明の実施形態に係る電子出版システム１において、読出位置値を、携帯電話３０から電子出版装置１０に入力する構成を備えさせる場合には、携帯電話３０の利用者のうち、ある部分についてはすぐにでも「読みたい」と思うが、他の部分については「まったく読みたくない」という利用者が、当該ある部分についてすぐにでも読むことができるようになるとともに、当該他の部分についてまったく読むことがないようにできる。
【００３０】
以上説明したように、本発明の実施形態に係る電子出版システム１によれば、携帯電話３０の利用者が、興味を持った電子書籍をすぐにでも読みたいという場合に、その電子書籍をすぐにでも読むことができるようになる。
【００３１】
以上、本発明の実施形態について説明したが、この説明は、本発明の一例に関するものであり、本発明は、これらの説明によって何ら限定されるものではない。
【符号の説明】
【００３２】
１    電子出版システム
１０    電子出版装置
１１    記憶手段
２０    作者端末
３０    携帯電話
４０    インターネット
５０    基地局
【図１】
2010267036.tif 000003
【図２】
2010267036.tif 000004